(57)【特許請求の範囲】
【請求項１】
インストルメントパネルの中央にセンターガーニッシュ嵌合用の開口部を設け、該開口部の外周より内側に向かって設けられたフランジを奥側にまで延長し、該延長したフランジの上側に孔部を設け、該孔部に前記センターガーニッシュの上側に突設させたエンボスを嵌合し、前記フランジの外部上側に配置されるリンフォースの下端部を前記フランジに沿わせて延長させると共に、該延長したリンフォースにネジ手段にて締め付けることにより、前記センターガーニッシュを固定したことを特徴とするインストルメントパネルの構造。
【請求項２】
前記エンボスの上端面の、前記フランジの孔部への嵌合方向に斜面を形成したことを特徴とする請求項１記載のインストルメントパネルの構造。
【発明の詳細な説明】
【０００１】
【発明の属する技術分野】
本発明は、インストルメントパネル中央のオーディオ取付用の開口部の内側フランジを奥側にまで延長し、延長したフランジの上面にセンターガーニッシュのエンボスを嵌合させる孔を形成したインストルメントパネルの構造に関するものである。
【０００２】
【従来の技術】
従来、図５に示すように、インストルメントパネル１の中央には、ラジオやカセットデッキ等のオーディオ（図６参照）２を取り付けるための開口部１ａが設けられている。この開口部１ａには、外周縁から内側に向かって延設されるフランジ１ｂが設けられている。フランジ１ｂには後述するセンターガーニッシュ３を装着させるガーニッシュ取付部１ｃが設けられている。このガーニッシュ取付部１ｃには車両前方側から、図６に示すように、スピードナット（鉄板をＵ字形に折曲し、対向する面に螺子孔を設けたもの）４が嵌め込まれている。
【０００３】
インストルメントパネル１の開口部１ａにオーディオ２を取り付けた後、図５に示すような枠状のセンターガーニッシュ３を装着してオーディオ２を覆うようにしている。センターガーニッシュ３にはオーディオ２の操作部を露出させるための開口部３ａが設けられており、開口部３ａの上辺部のフランジ３ｂには、図６に示すように、センターガーニッシュ３をインストルメントパネル１に取り付けた際、固定用のスクリュー５の頭部が見えないように、上方向に凸形状のエンボス３ｃが形成されている。
【０００４】
センターガーニッシュ３をインストルメントパネル１の開口部１ａに嵌合させる場合、インストルメントパネル１のフランジ１ｂのガーニッシュ取付部１ｃに嵌め込んだスピードナット４に、センターガーニッシュ３のエンボス３ｃのスクリュー孔３ｄを挿通させたスクリュー５を螺合させてセンターガーニッシュ３をインストルメントパネル１に固定している。なお、図６において、符号７で示すものは、インストルメントパネル１の表面と、ステアリングサポートメンバー（図示なし）とを繋いだ補強用のリンフォースである。
【０００５】
しかしながら、センターガーニッシュ３のフランジ３ｂが前下がりの斜面となっているため、スクリュー５の頭部を単に凹まして取付けただけでは、図６に示すように、視線６によってはスクリュー５の頭部が見えてしまい見栄えが悪かった。
【０００６】
そこで、図７に示すように、エンボス３ｃの高さ寸法をさらに大きく形成すると共に、インストルメントパネル１のフランジ１ｂの上部に合成樹脂製のリブ８を配置し、このリブ８の先端側に嵌め込んだスピードナット４にエンボス３ｃのスクリュー孔３ｄを挿通させたスクリュー５を螺合させてセンターガーニッシュ３を固定させていた。
【０００７】
なお、インストルメントパネルとして、実開平５−２０１２７４号公報に開示されているものがある。この公報に開示されているものは、センターガーニッシュを取り付けるパネル本体等にリブを立設し、このリブにセンターガーニッシュの周縁を掛合させて取り付けるようにしたものである。
【０００８】
【発明が解決しようとする課題】
以上説明した従来技術においては、リブ８を設けた分だけ、インストルメントパネル１のフランジ１ｂの上部に配設したリンフォース７を短かくしなければならず、リンフォース７が短くなれば、リンフォース７の強度が低下する虞がある。また、強度がそれほど高くないリブ８の先端にスピードナット４を取り付けているので、締付部の剛性が不足する虞もあった。
【０００９】
なお、実開平５−２０１２７４号公報に開示さたインストルメントパネルは、センターガーニッシュをパネル本体に設けたリブに引っ掛けて取付けているが、本発明のように、センターガーニッシュの取付剛性及び見栄えを解決しているものではない。
【００１０】
本発明は、上記の問題を解決するためになされたもので、インストルメントパネル中央の開口部の内側のフランジを奥側にまで延長し、この延長したフランジの上面に孔を明けることによって、エンボスの高さ寸法を大きくし、スクリューの頭部が目視できないようにして、見栄えを良くすると共に、リンフォースの強度を向上し、さらに、センターガーニッシュの締付部の剛性を上げるようにしたインストルメントパネルの構造を提供することを目的とする。
【００１１】
【課題を解決するための手段】
本発明は、上記課題を解決するための手段として、請求項１に記載された発明によれば、インストルメントパネルの中央にセンターガーニッシュ嵌合用の開口部を設け、該開口部の外周より内側に向かって設けられたフランジを奥側にまで延長し、該延長したフランジの上側に孔部を設け、該孔部に前記センターガーニッシュの上側に突設させたエンボスを嵌合し、前記フランジの外部上側に配置されるリンフォースの下端部を前記フランジに沿わせて延長させると共に、該延長したリンフォースにネジ手段にて締め付けることにより、前記センターガーニッシュを固定したことを特徴とするものである。
【００１２】
また、請求項２に記載された発明によれば、請求項１に記載されたものにおいて、前記エンボスの上端面の、前記フランジの孔部への嵌合方向に斜面を形成したことを特徴とするものである。
【００１３】
そして、請求項１に記載されたものにおいては、インストルメントパネル中央の開口部内のフランジを奥側まで延長し、この延長したフランジに孔部を形成して、この孔部にセンターガーニッシュの上側に突設させたエンボスを嵌合して高さ寸法の大きいエンボスを得るようにする。また、延長したリンフォースにネジ手段を締め付けることによって、センターガーニッシュをインストルメントパネルに固定する。
【００１４】
また、請求項２に記載されたものにおいては、センターガーニッシュのエンボスの嵌合方向に斜面を形成して、センターガーニッシュをインストルメントパネルのフランジに設けた孔部に嵌合させる際、エンボスを案内して、孔部に嵌合させ易くする。
【００１５】
【発明の実施の形態】
以下、本発明の実施の形態を、要部を模式的に示した図１に基づいて説明する。なお、図５乃至図７と同一の部分には同一の符号を付す。本実施の形態において、インストルメントパネル１の中央には、ラジオ等のオーディオ２が取付けられる開口部１ａが設けられている。開口部１ａにオーディオ２を取付けた後は、装飾のため、枠状のセンターガーニッシュ３でオーディオ２の取付部位を覆うようにしている（図５をも参照）。
【００１６】
開口部１ａには外周より内側に向かうフランジ１ｂが設けられている。フランジ１ｂは奥側にまで延長され、後述するセンターガーニッシュ３を覆うのに充分な長さを有している。この延長されたフランジ１ｂには、センターガーニッシュ３のフランジ３ｂに設けられた、高さ寸法を大きく形成した筒状のエンボス３ｃを嵌合させる孔部１ｄが設けられている（図３参照）。
【００１７】
フランジ１ｂの孔部１ｄに嵌合するエンボス３ｃの上端面には、図２に示すように、下方向に傾斜した半円状の斜面３ｅが形成されている。斜面３ｅは、図３の矢印Ｂで示すように、フランジ１ｂの孔部１ｄへの嵌合方向に形成されている。このようにエンボス３ｃの上端面に斜面３ｅを設けることにより、エンボス３ｃをインストルメントパネル１のフランジ１ｂの孔部１ｄに嵌め込む場合、斜面３ｅがフランジ１ｂに導かれて嵌め込みが容易になる。
【００１８】
また、エンボス３ｃの中央にはネジ手段である、例えばスクリュー５を挿通させるスクリュー孔３ｄが設けられている。エンボス３ｃは上記したように、高さ寸法を大きく、すなわち、充分な深さＤを有しているので、センターガーニッシュ３をスクリュー５で固定した場合でもスクリュー５の頭部が視線６に入らず美観を損ねることはない。
【００１９】
また、フランジ１ｂの外部上側に配置されるリンフォース７の下端部をフランジ１ｂに沿わせて長く延長させ、その延長させた部分７ａにセンターガーニッシュ３のエンボス３ｃの端面を当接させている。このエンボス３ｃが当接したリンフォース７の部分７ａにエンボス３ｃのスクリュー孔３ｄと軸線を合わせた孔７ｂ及びナット９が溶着されている。なお、タッピングスクリュー（図示なし）を使用する場合は、リンフォース７に７ｂのみ設ければよい。
【００２０】
以上説明したように構成したので、図３に示すように、インストルメントパネル１の開口部１ａに、オーディオ２を覆うためのセンターガーニッシュ３を嵌め込んでいくと、エンボス３ｃの斜面３ｅがフランジ１ｂに導かれてエンボス３ｃが孔部１ｄに容易に嵌合する。エンボス３ｃが、図４に示すように、孔部１ｄに嵌り込むと、センターガーニッシュ３が仮保持の状態となって、センターガーニッシュ３を支える必要がなくなると共に、エンボス３ｃのスクリュー孔３ｄ及び、リンフォース７の孔７ｂとナット９の夫々の軸線が一致しているので、スクリュー５の締め付けが容易になる。さらに、ナット９を取り付けるためにリンフォース７を下方に延長させたことにより、リンフォース７の断面積７ｃを増やすことができリンフォース７の強度を向上させることができる。
【００２１】
また、エンボス３ｃが嵌合する孔部１ｄをインストルメントパネル１のフランジ１ｂに設けたことにより、エンボス３ｃの高さ寸法を大きく形成することができ、センターガーニッシュ３を固定するスクリュー５の頭部が視線６に入らないようにすることができる。
【００２２】
【発明の効果】
本発明は、以上説明したように構成されたインストルメントパネルの構造であるから、請求項１に記載された発明によれば、インストルメントパネル開口部内の、延長させたフランジに孔部を設けたので、この孔部にセンターガーニッシュのエンボスを挿入すれば、エンボスの高さ寸法を大きくとることができる。このようにエンボスを深くすることができれば、エンボスを介してセンターガーニッシュをネジ手段で固定した場合、ネジ手段の頭部を隠すことができる。
【００２３】
また、インストルメントパネルのフランジに形成した孔部にエンボスを嵌合するようにしたので、センターガーニッシュを組み付ける際、センターガーニッシュを仮保持状態に支持することができる。これによって、ネジ手段を容易に締め付けることができる。
【００２４】
さらに、リンフォースにネジ手段を締め付けてセンターガーニッシュを固定するようにしたので、リンフォースを下方に延長することが可能となり、リンフォースの断面積を増加することができて、リンフォースの強度を向上させることができる。また、ネジ手段の締付部の剛性をも向上させることができる。
【００２５】
請求項２に記載された発明によれば、センターガーニッシュのエンボス上端面の、フランジの孔部への嵌合方向に斜面を形成したので、斜面がインストルメントパネルのフランジに導かれることにより、エンボスをフランジの孔部に容易に嵌合させることができ、組付性を向上させることができる。
【図面の簡単な説明】
【図１】本発明の実施の形態の要部を概略的に示した一部断面図である。
【図２】図１に示すセンターガーニッシュのエンボスの斜視図である。
【図３】図１のもののインストルメントパネル及びセンターガーニッシュを分解して示した断面図である。
【図４】図３のインストルメントパネルにセンターガーニッシュを組み付けたところを示す断面図である。
【図５】従来のインストルメントパネル及びセンターガーニッシュを説明するための斜視図である。
【図６】従来のインストルメントパネル及びセンターガーニッシュの組み付けを示し、図５のＡ−Ａ線に沿う断面図である。
【図７】従来のインストルメントパネル及びセンターガーニッシュの他の組み付けを示し、図６に対応する断面図である。
【符号の説明】
１    インストルメントパネル
１ａ  開口部
１ｂ  フランジ
１ｄ  孔部
３    センターガーニッシュ
３ｃ  エンボス
３ｅ  斜面
５    スクリュー
７    リンフォース
【図１】
0003885859.tif 000002
【図２】
0003885859.tif 000003
【図３】
0003885859.tif 000004
【図４】
0003885859.tif 000005
【図５】
0003885859.tif 000006
【図６】
0003885859.tif 000007
【図７】
0003885859.tif 000008